(57)【要約】 【課題】  第１趾方向へ向けての荷重移動を誘導する作用を高めて、浮き指を防止する。【解決手段】  弾性部の踵部は、中央部から外側周縁及び内側周縁に向かって徐々に厚くなるように形成され、内側周縁より外側周縁の厚さを厚くしてある。これにより、内側周縁により第５趾方向へ向けて荷重移動をスムーズにし、外側周縁により第１趾方向へ向けて荷重移動をスムーズにし、また内側周縁より外側周縁の厚さが厚いことにより、第１趾方向へ向けての荷重移動を誘導する作用が高まり効率よく浮き指防止を促す。【選択図】  図２
2011056296.tif 000002
【特許請求の範囲】
【請求項１】
全体形状が足型である柔軟な基材部の下面に、基材部より硬度の大きい弾性材からなる弾性部を設けてなる中敷きパッドであって、
弾性部が、踵骨に対応する部分において中央部から外側周縁及び内側周縁に向かって徐々に厚くされ、外側周縁の厚さを内側周縁より厚くされていることを特徴とする中敷きパッド。
【請求項２】
請求項１に記載の中敷きパッドを装着した履物であって、
前記中敷きパッドの基材部下面の形状と履物内底面の形状とがほぼ一致している履物。
【発明の詳細な説明】
【技術分野】
【０００１】
この発明は、履き物を履いた場合に、足の浮き指の防止を促すようにした中敷きパッド及びそれを装着した履物に関する。
【背景技術】
【０００２】
履物に使用する中敷きパッドは、様々な用途、構成のものが知られている。例えば、靴中敷として実公平３−４７５２７号公報に、「弾性ポリウレタン等の弾性体より構成されるシート部分と、その下側又は内側に結合されている粘弾性ポリウレタン等の粘弾性体より構成される部分とより成る靴中敷において、粘弾性ポリウレタンの部分を縦軸アーチ部、及び（又は）横軸アーチ部に使用し、前記弾性ポリウレタンが前記アーチ部において前記粘弾性ポリウレタンの存在で上に膨らんでいることを特徴とする、靴中敷（従来技術１）」の開示がある。
【０００３】
また、実用新案登録公報第２５５４３７６号（実開平６-２３５１５号）には、足のアーチ低下による様々な障害の緩和、或いはアーチの低下の回復と予防のために「足底の横アーチ、縦アーチ（内外）の部分をほぼ完全にカバーするような形で且つ隅部を丸く形成した輪郭を有する平面状布地と、前記布地の裏面に一体に接着された粘弾性ポリウレタン樹脂パッドよりなり、前記アーチパッドの下面は凸レンズ状曲面を有することを特徴とする両軸兼用アーチパッド（従来技術２）」が開示されている。
【０００４】
更に、特開平７−７９８０５号公報に、「８０度以上の硬度を有する軟質ポリウレタンフォームからなる基材１１。基材１１上の第２中足骨骨頭位置付近に凸状に形成された２０〜６０度の硬度からなる軟質ポリウレタンフォームからなる凸部１２。基材１１または凸部１２上に積層される表皮材１３。これらの基材１１，凸部１２，表皮材１３とからなる靴の中敷（従来技術３）。」の構成が開示されている。
【０００５】
更にまた、特開平１１−２２６０４２号公報に、「走行時に足の機能を維持したり、或は障害の防止に役立つような足の踵部周辺の維持にも同時に有効なアーチパッド」として「足底全体の輪郭を有し、足底の横アーチ、内側縦アーチ及び外側縦アーチの部分に相当する部分にそれぞれ相当する、緩やかな下に凸状の横アーチパッド部、内側縦アーチパッド部及び外側縦アーチパッド部の少なくとも１つを一体に有する弾性または粘弾性パッドとよりなる靴中敷き（従来技術４）」の開示がある。
【先行技術文献】
【特許文献】
【０００６】
【特許文献１】実公平３−４７５２７号公報
【特許文献２】実用新案登録公報第２５５４３７６号（実開平６-２３５１５号）
【特許文献３】特開平７−７９８０５号公報
【特許文献４】特開平１１−２２６０４２号公報
【発明の概要】
【発明が解決しようとする課題】
【０００７】
近年、周辺環境の変化により体力の低下、特に子供の体力が年々低下し真っ直ぐ走れない子供が多くなる傾向が顕著になってきている。本発明者等は、幼稚園児、小学生の足の調査を行い、それにより把握された傾向として、多くの子供達が立ち姿勢において踵寄り荷重になっていることが判明した。踵寄り荷重は、足趾が浮いた状態になりやすく筋力バランスが崩れ、それによって姿勢も悪くなりやすくなる傾向がある。
成長期の子供時代に、このような身体環境を強いられると、大人になってからも様々な身体的なトラブルに見舞われるおそれがある。
【０００８】
本発明は、立ち姿勢及び歩行時に浮き指を防止することにより、より良い姿勢の修得を促す浮き指防止中敷きパッド及びそれを装着した履物を提供する。
【課題を解決するための手段】
【０００９】
上記の課題を解決するため、全体形状が足型である柔軟な基材部の下面に、基材部より硬度の大きい弾性材からなる弾性部を設けてなる中敷きパッドであって、弾性部の輪郭は、踵側を起点として爪先方向に向かって、第１趾−第２趾間に対応する領域及び第５趾に対応する領域では中足骨半ば位置を周縁とし、第１趾内側に対応する領域及び第５趾外側に対応する領域では基節骨半ばを超える位置を周縁とし、第２趾−第３趾間に対応する領域では中足趾節間関節を超える位置を周縁とし、第３趾−第４趾間に対応する領域では中足骨骨頭の手前の位置を周縁とするようにされていることを特徴とする中敷きパッドを提案する。
【００１０】
弾性部の、足の内側縦アーチ、外側縦アーチ及び横アーチに対応する部分が、他の部分から盛り上がるように厚くされている中敷きパッドを提案する。
【００１１】
弾性部が、踵骨に対応する部分において中央部から外側周縁及び内側周縁に向かって徐々に厚くされ、外側周縁の厚さを内側周縁より厚くされているている中敷きパッドを提案する。
【００１２】
上記中敷きパッドを装着した履物であって、前記中敷きパッドの基材部下面の形状と履物内底面の形状とがほぼ一致している履物を提案する。
なお、この発明で「内側」とは、右足から見れば左足側、左足から見れば右足側を言い、「外側」とは、「内側」の反対側を言う。
【発明の効果】
【００１３】
この発明によれば第１趾内側の領域で弾性部が、基節骨半ばを超える位置を周縁とすることにより、第１趾の内側へのズレの防止を促し、オーバープロネーション（過回内）の防止を促す作用がある。オーバープロネーション（過回内）が防止されることにより第１趾の機能喪失を防止する。同様に第５趾外側の領域で弾性部が、基節骨半ばを超える位置を周縁とすることにより、第５趾の外側へのズレを防止を促し、オーバーサピネーション（過回外）の防止を促す作用がある。オーバーサピネーション（過回外）が防止されることにより第５趾の機能喪失を防止する。そして、第１趾の内側へのズレの防止、第５趾の外側へのズレの防止により、弾性部の前述した各周縁を所望の足骨位置に精度よく配置することができる。
【００１４】
第２趾−第３趾間の領域では弾性部が、中足趾節間関節を超える位置を周縁とすることにより、足趾、特に第１趾、第２趾を使わせようとする。
【００１５】
そして、第３趾−第４趾間の領域では弾性部が、中足骨骨頭の手前の位置に対応する位置を周縁とすることにより、足趾、特に第３趾、第４趾を使わせようとする。
【００１６】
このようにして足趾の使用を促すことにより浮き指防止が促進される。
【００１７】
また、足の各アーチをサポートするとともに、内側縦アーチのサポートにより第１趾を使わせようとする働き、外側縦アーチのサポートにより第５趾を使わせようとする働き、横アーチのサポートにより第２趾、第３趾及び第４趾を使わせようとする働きがそれぞれ増大し、より浮き指防止が促進される。
【００１８】
また、踵部を弾性部により内側及び外側から包み込み、踵着地の際の過度の内側や外側への傾きやズレ（過回内、過回外）といった足にとって悪いブレが生じ難くなり、より効率的に浮き指防止が促進される。
また、弾性部が、踵骨に対応する部分において中央部から外側周縁及び内側周縁に向かって徐々に厚くされ、外側周縁の厚さを内側周縁より厚くされており、内側周縁により第５趾方向へ向けて荷重移動をスムーズにし、この外側周縁により第１趾方向へ向けて荷重移動をスムーズにし、また内側周縁より外側周縁の厚さを厚くしてあるので、第１趾方向へ向けての荷重移動を誘導する作用が高まり効率よく浮き指防止を促す。
【００１９】
また、中敷きパッドが履物内の所定の位置に固定されるので、弾性部の前述した各周縁を所望の足骨位置に精度よく配置することができる。
【図面の簡単な説明】
【００２０】
【図１】この発明である浮き指防止中敷きパッドの一つの実施形態の底面図
【図２】この発明の浮き指防止中敷きパッドを敷いた履物に足を入れたときの前記パッドと足骨の位置関係の説明図
【図３】図２のＷＷ線断面図
【図４】図２のＸＸ線断面図
【図５】図２のＹＹ線断面図
【図６】図２のＺＺ線断面図
【図７】この発明である浮き指防止中敷きパッドの実施形態の表皮材付き基材部の斜視図
【図８】足骨を上方から見たときのそれぞれの部位の位置を示す足骨説明図
【発明を実施するための最良の形態】
【００２１】
この発明である浮き指防止中敷きパッドの一つの実施形態について、裏面図を示す図１、この発明の浮き指防止中敷きパッドを敷いた履物に足を入れた場合の足骨位置の説明図である図２、図２のＷＷ線断面図である図３、図２のＸＸ線断面図である図４、図２のＹＹ線断面図である図５、図２のＺＺ線断面図である図６、骨のそれぞれの部位の名称を示す足骨説明図である図８に基づいて説明する。
【００２２】
この発明の一つの実施形態である浮き指防止中敷きパッド１は、全体形状が足型である柔軟な基材部２と、基材部２の下面に設ける弾性部３とからなる。
【００２３】
基材部２の素材は、柔軟な素材であればよいが緩衝性の高い素材が好ましい。例えばラバー、ポリウレタン、ＥＶＡ、ポリエチレン、軟質塩化ビニル等の合成樹脂フォームであることが好ましいが、織布、編布、不織布、フェルト等の繊維材であってもよい。
【００２４】
合成樹脂フォームの気泡率（気泡が占める容積割合）は、５０〜９０容積％であることが好ましい。気泡率が５０容積％未満では、基材部２の柔軟性が乏しくなる傾向であり、逆に９０容積％超であるとヘタリ（歪み）易くなる傾向である。柔軟性の欠乏あるいは基材部２の部分的なヘタリ、歪みは、緩衝性を悪化させるとともに、弾性部の形状が足に正確に伝達されず浮き指防止の効果を減少させる。
【００２５】
気泡率５０〜９０容積％の範囲内の素材を使用する基材部２は、足の載る部分において上下面がともに平坦であり、緩衝性を高めるため、その厚さ０．０９５Ｌ〜０．２２Ｌｍｍ（Ｌは足長サイズ［ｃｍ］）、例えば足長サイズ１６ｃｍの場合、１．５ｍｍ〜３．５ｍｍ厚で形成することが好ましい。また、基材部２の表面硬度は、１〜３０度（デュロメータ タイプＡ［加圧直後硬さ］）であることが好ましい。基材部２の表面硬度が、１度未満であると緩衝性に乏しくなり、３０度超であると、基材部２の下面に設ける弾性部３の形状が足裏面に伝達されにくくなる。
【００２６】
基材部２の上面側には、表皮材（図示せず）を全面に設ける方が好ましい。表皮材の素材としては、織布、編布、不織布、起毛布などの布帛がよい。布帛は、糸と糸の間、繊維と繊維の間に空気や汗、湿気を導入し、それを外部に排出する機能を有する。 
【００２７】
弾性部３は、図２に示す内側縦アーチ２０、外側縦アーチ２１及び横アーチ２２の部分が他の部分に比較して相対的に厚く形成されている。また、第２−第３中足骨間２３の部分がやや隆起していることが好ましい。更に内側縦アーチ２０の前部２０１、後部２０２及び外側縦アーチ２１の前部２１１、後部２１２の部分がやや隆起していることが好ましい。
【００２８】
内側縦アーチ２０の前部２０１は、特に第１趾を効率よく使わせる重要な部分でオーバープロネーションを抑制するとともに、立脚中期（蹴り出し直前）から蹴り出しの時期に掛けて第１趾の接地を促し力強い蹴り出しを可能にする。内側縦アーチ２０の後部２０２は、載距突起Ｊに直接作用することにより、踵接地から立脚中期の時期に掛けて内側縦アーチ２０をサポートし、オーバープロネーションを抑制する。
【００２９】
外側縦アーチ２１の前部２１１は、立脚中期から蹴り出しの時期に掛けて足の外側をサポートし力強い蹴り出しを可能にする。外側縦アーチ２１の後部２１２は、立方骨Ｋの下端部に直接作用することにより、踵接地から立脚中期の時期に掛けて外側縦アーチ２１をサポートし、オーバープロネーションを抑制し、効率よく小趾外転（第５趾を開かせる）を促す。
【００３０】
弾性部３は、基材部２より硬度の大きい弾性材からなる。弾性部３の素材は、ラバー、ポリウレタン、ＥＶＡ、ポリエチレン、軟質塩化ビニル等の合成樹脂製の中実体、或いは微発泡フォーム、すなわち基材部２の素材より気泡率の小さいフォームであることが好ましいが、織布、編布、不織布、フェルト等の繊維材であってもよい。合成樹脂製の中実体、或いは微発泡フォームの気泡率は、０〜５０容積％であることが好ましい。
この気泡率が、５０容積％を超えるとヘタリ（歪み）易くなり、浮き指防止の効果が長続きしない。
【００３１】
弾性部３の表面硬度は、少なくとも基材部２の表面硬度より高く、且つ１０〜７０度（デュロメータ タイプＡ［加圧直後硬さ］）であることが好ましい。弾性部３の表面硬度が、１０度未満であると履用者の体重により潰れて浮き指防止の効果が減少し、逆に７０度超であると、歩行時の靴の屈曲に追従しきれずに履き心地を損ねる傾向である。
【００３２】
弾性部３の輪郭は、踵側Ｎを起点として爪先Ｍ方向に向かって、第１趾Ａ−第２趾Ｂ間に対応する領域では、第１中足骨ＦＡの半ば位置を平面視円弧状の第２周縁３２とし、第５趾Ｅに対応する領域では、第５中足骨ＦＥの半ば位置を平面視円弧状の第５周縁３５とし、第１趾Ａの内側に対応する領域では第１基節骨骨頭ＧＡの半ば位置を第１周縁３１とし、第５趾Ｅの外側に対応する領域では第５基節骨ＧＥの半ば位置を第６周縁３６とし、第２趾Ｂ−第３趾Ｃ間に対応する領域では第２中足趾節間関節ＨＢを若干超える位置を第３周縁３３とし、第３趾Ｃ−第４趾Ｄ間に対応する領域では第４中足骨骨頭ＩＤの手前の位置を第４周縁３４とするようにされている。なお、第１周縁３１乃至第６周縁３６は、連続する周縁である。
【００３３】
第２周縁３２を円弧状としていることにより、足の母趾（第１趾）球をサポートし、第１趾の接地を促す。第２−第３趾中足骨間隆起２３は、足のこの部分をサポートすることにより、蹴り出しのときに効率よく第１趾方向への荷重移動をスムーズにする。横アーチ２２は、第３−第４趾の部分をサポートすることにより、立脚中期の第３趾、第４趾の接地を促し、蹴り出しのときの荷重移動をスムーズにする。第５周縁３５を円弧状としていることにより、足の小趾（第５趾）球をサポートし、第５趾の接地を促す。
【００３４】
弾性部３は、第１周縁３１から第２周縁３２に至るまでの部分は、断面が内側の厚いくさび型であり、第５周縁３５から第６周縁３６に至るまでの部分は、断面が外側の厚いくさび型である。これらのような断面形状とすることにより、第１趾、第５趾のズレ防止がより促がされる。また、この第１周縁３１は、第１趾のオーバープロネーションを抑制するとともに歪んだねじれを抑制して、母趾外転（第１趾を開かせる）を促す。更に、この第６周縁３６は、第５趾のオーバープロネーションを抑制するとともに歪んだねじれを抑制する。
【００３５】
弾性部３の踵部３０は、中央部から外側周縁及び内側周縁に向かって徐々に厚くなるように形成されている。この実施形態では、弾性部３の踵部３０の中央部３００は長円状にくりぬかれており、中央部３００から外側周縁３０１及び内側周縁３０２に向かって徐々に角度を増しながら厚くなっている。この際、内側周縁３０２より外側周縁３０１の厚さを厚くすることが好ましい。この内側周縁３０２により第５趾方向へ向けて荷重移動をスムーズにし、この外側周縁３０１により第１趾方向へ向けて荷重移動をスムーズにする。また内側周縁３０２より外側周縁３０１の厚さを厚くすれば、第１趾方向へ向けての荷重移動を誘導する作用が高まり効率よく浮き指防止を促す。
【００３６】
弾性部３は、各アーチに対応する部分が他の部分から盛り上がるように厚くされている。弾性部３の厚さは、特に限定されないが、最も厚い部分が０．１５Ｌ〜０．３０Ｌｍｍ（Ｌは足長サイズ［ｃｍ］）であることが望ましい。各周縁においては、踵側Ｎ方向に向かってすみやかに厚さが増大していることが望ましい。第３周縁３３の第２中足趾節間関節ＨＢに対応する部分の厚さは、０．１５Ｌ（Ｌは足長サイズ）であることが望ましい。
【実施例】
【００３７】
この発明について、足長サイズ１６ｃｍ用の浮き指防止用の中敷きパッド１の製造の実施例に基づいて説明する。
【００３８】
最初に、浮き指防止用の中敷きパッド１の表皮材付き基材部２の作製について説明する。発泡剤を含む液状ポリオール成分と液状ポリイソシアネート成分とを混合し機械的に攪拌したものを、４．０ｍｍ深さの凹部を有する下型と、平板状の上型との間に注入して発泡固化させる。この工程により表裏二面に薄いスキン層を有する厚さ４．０ｍｍの発泡シートを得た。
【００３９】
この発泡シートの一面に、単位面積あたり質量１２０ｇ／ｍ２の編布からなる表皮材を貼着した後、１２０℃に加熱したプレス型にて加圧成形することによって図７に示すような踵側をカップ状とした表皮材付き基材部２を作製した。この表皮材付き基材部２は、足の底面に接する部分がほぼ平坦で均一な厚み（２．５ｍｍ）で、かつその下面形状が履物内底面の形状に一致するように成形されている。また、この表皮材付き基材部２の表面硬度は、１６度（デュロメータ タイプＡ［加圧直後硬さ］）であり、その密度は０．３５ｇ／ｃｍ３（気泡率６５容積％）であった。なお、基材部２のアスカーＣでの表面硬度は４５度（加圧３０秒後硬さ）であった。
【００４０】
次に、浮き指防止用の中敷きパッド１の弾性部３の作製について説明する。発泡剤を含む液状ポリオール成分と液状ポリイソシアネート成分とを混合し機械的に攪拌したものを、図２に示されるように弾性部３を成形するため凹部を有する下型と、平板状の上型との間に注入して発泡固化させて弾性部３を作製した。この弾性部３の表面硬度は、３２度（デュロメータ タイプＡ［加圧直後硬さ］）であり、その密度は０．８５ｇ／ｃｍ３（気泡率１５容積％）であった。なお、弾性部３のアスカーＣでの表面硬度は５５度（加圧３０秒後硬さ）であった。
【００４１】
上記表皮材付き基材部２の裏面側に弾性部３を図１及び図２に示すように接着剤等  
により接着して浮き指防止用の中敷きパッド１を製造した。
【産業上の利用可能性】
【００４２】
浮き指防止用の中敷きパッドであり、運動靴や長靴に装着されて使用され、特に立ち姿勢時に踵寄り荷重になっている子供等に有効である。
【符号の説明】
【００４３】
１   浮き指防止中敷きパッド
２   基材部
２０   内側縦アーチ
２１   外側縦アーチ
２２   横アーチ
３   弾性部
Ｎ   踵側
Ｍ   爪先側
３０   踵部
３００   中央部
３０１   外側周縁
３０２   内側周縁
３１   第１周縁
３２   第２周縁
３３   第３周縁
３４   第４周縁
３５   第５周縁
３６   第６周縁
Ａ   第１趾
Ｂ   第２趾
Ｃ   第３趾
Ｄ   第４趾
Ｅ   第５趾
ＦＡ   第１中足骨半ば位置
ＦＥ   第５中足骨半ば位置
ＧＡ   第１基節骨骨頭
ＧＥ   第５基節骨骨頭
ＨＢ   第２中足趾節間関節
ＩＤ   第４中足骨骨頭
Ｊ   載距突起
Ｋ   立方骨
【図１】
2011056296.tif 000003
【図２】
2011056296.tif 000004
【図３】
2011056296.tif 000005
【図４】
2011056296.tif 000006
【図５】
2011056296.tif 000007
【図６】
2011056296.tif 000008
【図７】
2011056296.tif 000009
【図８】
2011056296.tif 000010